【手続補正書】
【提出日】平成28年8月26日(2016.8.26)
【手続補正１】
【補正対象書類名】特許請求の範囲
【補正対象項目名】全文
【補正方法】変更
【補正の内容】
【特許請求の範囲】
【請求項１】
患者負荷に治療エネルギーを送達するシステムであって、
前記治療エネルギーを蓄積および解放するように構成されるキャパシタと、
前記キャパシタに結合され、ある時間間隔に亘って治療エネルギーの解放時に生じる治療波形の形状を制御するように構築されるコンバータ回路と、
前記コンバータ回路に結合されるスイッチネットワークとを含み、
前記コンバータ回路はインダクタを含み、
前記スイッチネットワークは、前記治療波形の前記制御された形状により前記キャパシタから解放される治療エネルギーを前記患者に適用するように構成される、システム。
【請求項２】
前記コンバータ回路はさらに、
電流感知ネットワークと、
前記インダクタと前記電流感知ネットワークとの間に結合されるソリッドステートスイッチとを含む、請求項１に記載のシステム。
【請求項３】
前記コンバータ回路はさらに、前記ソリッドステートスイッチおよび前記電流感知ネットワークに結合され、前記ソリッドステートスイッチをサイクル動作させるように構築されるコントローラ回路を含む、請求項２に記載のシステム。
【請求項４】
前記電流感知ネットワークは、電流プロファイルを受け取り、かつ、前記ソリッドステートスイッチから受け取られた電流と前記電流プロファイルを比較するように構築される、請求項２または３に記載のシステム。
【請求項５】
前記スイッチネットワークは、複数のスイッチを含み、前記複数のスイッチの各々は、当該スイッチを制御し、かつ、第１の位相と第２位相とを有する位相プロファイルを受け取るように構築される回路を含む、請求項１に記載のシステム。
【請求項６】
前記スイッチネットワークはさらに、前記位相プロファイルを反転させるように前記複数のスイッチの少なくとも２つに結合されるインバータを含む、請求項５に記載のシステム。
【請求項７】
前記複数のスイッチの少なくとも２つのスイッチは、前記第１の位相の間に開状態にあるように構成され、前記第２の位相の間に閉状態にあるように構成される、請求項５または６に記載のシステム。
【請求項８】
前記コンバータ回路はさらに、前記キャパシタ上の電圧降下と、上記時間間隔に亘る前記患者負荷における変動とを補償するように構築される、請求項１に記載のシステム。
【請求項９】
前記治療エネルギーおよび前記時間間隔は、心臓が細動している患者を細動除去するよう選択される、請求項１〜３、５〜６および８のいずれか１項に記載のシステム。
【請求項１０】
前記治療エネルギーおよび前記時間間隔は、心臓がペーシングインパルスを必要とする患者をペーシングするように選択される、請求項１〜３、５〜６および８のいずれか１項に記載のシステム。
【請求項１１】
負荷に送達されるエネルギーを制御する方法であって、
ある量のエネルギーをキャパシタに蓄積することと、
前記キャパシタに結合されるインダクタに前記量のエネルギーを移動させることと、
前記キャパシタに結合される前記インダクタを含むコンバータ回路を用いてある時間間隔の間、波形として前記量のエネルギーを解放することと、
前記インダクタと電流感知ネットワークとの間に結合されるソリッドステートスイッチを通る電流の量を感知することによって前記波形の形状を制御することと、
前記コンバータ回路に結合されるＨブリッジ回路を使用して、前記量のエネルギーの第１の部分を前記負荷へ第１の方向に送達することとを含む、方法。
【請求項１２】
前記方法はさらに、前記Ｈブリッジ回路を使用して、前記負荷へ第２の方向に前記量のエネルギーの第２の部分を送達することを含む、請求項１１に記載の方法。
【請求項１３】
前記量のエネルギーを解放することは、前記ソリッドステートスイッチおよび前記電流感知ネットワークに結合されるコントローラ回路を使用して、前記ソリッドステートスイッチをサイクル動作させることをさらに含む、請求項１１に記載の方法。
【請求項１４】
前記量のエネルギーを解放することは、電流プロファイルを受け取り、かつ、前記電流感知ネットワークを使用して、前記ソリッドステートスイッチを通る電流の量と前記電流プロファイルを比較することとをさらに含む、請求項１１に記載の方法。
【請求項１５】
前記Ｈブリッジ回路は複数のスイッチを含み、前記量のエネルギーの第１の部分を第１の方向に送達し、前記量のエネルギーの第２の部分を第２の方向に送達することは、前記複数のスイッチを制御することを含む、請求項１２に記載の方法。
【請求項１６】
前記複数のスイッチを制御することは、第１の位相および第２の位相を有する位相プロファイルを受け取ることを含む、請求項１５に記載の方法。
【請求項１７】
前記複数のスイッチを制御することはさらに、前記第１の位相から前記第２の位相までの前記位相プロファイルにおける変化の受け取りに応答して、前記複数のスイッチの少なくとも４つのスイッチの状態を変更することを含む、請求項１６に記載の方法。
【請求項１８】
前記量のエネルギーを解放することは、前記キャパシタ上での電圧降下と、前記時間間隔に亘る負荷インピーダンスにおける変化とを補償することを含む、請求項１１に記載の方法。
【請求項１９】
心臓が細動している患者を細動除去するよう前記量のエネルギーおよび前記時間間隔を決定することをさらに含む、請求項１１に記載の方法。
【請求項２０】
心臓がペーシングインパルスを必要とする患者をペーシングするよう前記量のエネルギーおよび前記時間間隔を決定することをさらに含む、請求項１１に記載の方法。
【請求項２１】
前記スイッチネットワークは、複数のスイッチと、前記時間間隔の第１の部分の間は第１の方向に、かつ前記時間間隔の第２の部分の間は第２の方向に、治療エネルギーを適用するように前記複数のスイッチを制御するように構成されるコントローラ回路とを含む、請求項１に記載のシステム。
【請求項２２】
前記治療波形は、単相の波形、徐々に増加する波形、実質的に一定の波形、二相の波形、および三相の波形の１つを含む、請求項１に記載のシステム。
【請求項２３】
前記コンバータ回路はさらに、前記インダクタにおける電流の大きさを電流プロファイルと比較するように構成されるオペアンプを含み、前記コンバータは前記比較に基づいて前記ソリッドステートスイッチの状態を制御するように構成される、請求項２に記載のシステム。
【請求項２４】
前記コンバータ回路は、前記インダクタと前記スイッチネットワークとの間に結合されるダイオードを含む、請求項１に記載のシステム。
【請求項２５】
前記コンバータ回路は、前記コンバータ回路と接地との間で結合される平滑キャパシタを含む、請求項１に記載のシステム。
【請求項２６】
前記スイッチネットワークは、位相プロファイルを受け取り、前記位相プロファイルに基づいて前記患者に治療波形を適用するように構築されるＨブリッジ回路を含む、請求項１に記載のシステム。
【請求項２７】
前記スイッチネットワークはさらに、少なくとも１つのスイッチと結合される少なくとも１つのドライバ回路を含み、前記少なくとも１つのドライバ回路は制御信号を受け取り、前記制御信号に基づいて前記少なくとも１つのスイッチにおける電流の大きさを制御するように構築される、請求項１に記載のシステム。
【請求項２８】
前記少なくとも１つのドライバ回路は、前記少なくとも１つのスイッチの出力端子と結合される第１の入力、第１の抵抗を介して前記少なくとも１つのスイッチの前記出力端子と結合される第２の入力、および出力を有する第１のオペアンプを含む、請求項２７に記載のシステム。
【請求項２９】
前記少なくとも１つのドライバ回路は、前記制御信号を受け取るための第１の入力、前記第１のオペアンプの前記出力と結合される第２の入力、および前記少なくとも１つのスイッチの制御端子と結合される出力をさらに含む、請求項２８に記載のシステム。
【請求項３０】
前記少なくとも１つのドライバ回路はさらに、前記第２のオペアンプの前記第２の入力と前記第２のオペアンプの前記出力との間に結合されるキャパシタを含む、請求項２９に記載のシステム。
【請求項３１】
前記少なくとも１つのドライバ回路は、前記第１のオペアンプの前記出力と前記第２のオペアンプの前記第２の入力との間に結合される第２の抵抗をさらに含む、請求項２９に記載のシステム。
【請求項３２】
前記少なくとも１つのドライバ回路はさらに、前記第１のオペアンプの前記第２の入力と前記第１のオペアンプの前記出力との間に結合される第２の抵抗を含む、請求項２８に記載のシステム。